(57)【要約】【課題】互いに構造の異なる複数種の操作部材を具備しながらも、高い生産性を有することが可能な操作装置を提供する。【解決手段】複数の操作部材２０と、互いに同一の形状を有し、各操作部材２０に共通して用いられ、固定されることが可能な複数の被固定部品３０とを備え、操作部材２０が、係止孔２６ｆの開口方向が互いに異なるように取付部材１に取付けられる複数種のものを含み、各被固定部品３０は、いずれの操作部材２０の係止孔２６ｆにも係合可能な形状を有してその係合により被固定部品３０を操作部材２０に固定する複数の係止突起３４とを有し、これらの係止突起３４が、各被固定部品２０が各操作部材３０に対して特定の共通の姿勢にある状態で係止突起３４のうちのいずれかが係止孔２６ｆに係合可能となるように、各操作部材２０の係止孔２６ｆの開口方向に対応する複数の方向に突出している。【選択図】  図１
2010225324.tif 000002
【特許請求の範囲】
【請求項１】
操作装置であって、
共通の取付部材に取付けられる複数の操作部材と、
互いに同一の形状を有し、前記各操作部材に共通して用いられ、固定されることが可能な複数の被固定部品とを備え、
前記各操作部材には、前記被固定部品を係止するための係止孔がそれぞれ形成されており、
前記操作部材には、前記係止孔の開口方向が互いに異なるように前記取付部材に取付けられる複数種のものが含まれ、
前記各被固定部品は、本体部と、この本体部から外側に突出するとともにいずれの操作部材の係止孔にも係合可能な形状を有してその係合により当該被固定部品を当該操作部材に固定する複数の係止突起とを有し、
これらの係止突起は、前記各被固定部品が前記各操作部材に対して特定の共通の姿勢にある状態で当該係止突起のうちのいずれかが当該操作部材の係止孔に係合可能となるように、前記本体部から前記各操作部材の係止孔の開口方向に対応する複数の方向に突出することを特徴とする操作装置。
【請求項２】
請求項１に記載の操作装置において、
前記各被固定部品の本体部は、１８０度反転しても同一の形状を保つ略長方形断面を画定する一対の長辺側側面および一対の短辺側側面を有し、
前記係止突起は、前記本体部の２つの長辺側側面のうちの少なくとも一方および前記短辺側側面の少なくとも一方から前記被係止突起が突出することを特徴とする操作装置。
【請求項３】
請求項２に記載の操作装置において、
前記一対の長辺側側面および前記一対の短辺側側面のうちの少なくとも一方については、その対をなす側面のうちのいずれか一方にのみから前記被係止突起が突出することを特徴とする操作装置。
【請求項４】
請求項２または３に記載の操作装置において、
前記各操作部材は、前記長辺側側面および前記短辺側側面にそれぞれ対向する内側面を有する複数の保持壁を有し、
前記複数の保持壁のうちのいずれかが前記係止孔を有する係止壁であり、
前記被固定部品は、この被固定部品の本体部が前記保持壁で囲まれた領域に挿入された状態で前記係止壁の係止孔と係合することが可能な位置に前記被係止突起を有することを特徴とする操作装置。
【請求項５】
請求項４に記載の操作装置において、
前記保持壁のうち前記係止壁を除く非係止壁には、前記係止孔に前記被固定部品のいずれかの被係止突起が係合された状態でそれ以外の被係止突起と当該非係止壁との接触を回避する形状の切欠が形成されていることを特徴とする操作装置。
【請求項６】
請求項２〜５のいずれかに記載の操作装置において、
前記複数の操作部材として、前記取り付け部材のうち押圧操作を受けることが可能な位置にそれぞれ取付けられて周方向に並ぶ複数の押しボタンを有するとともに、前記各被固定部品として、その本体部の長辺方向に並ぶ複数のスリットが形成された発光面を有して前記各操作部材のインジケータを構成する複数の導光部材とを有し、
前記各押しボタンは、前記保持部を囲む外壁をそれぞれ有し、
前記各外壁は、前記各押しボタンが前記取り付け部材に取付けられた状態において径方向外側に位置し周方向に延びる外周壁をそれぞれ有し、
前記係止孔は、前記保持部の側壁のうち前記各押しボタンが前記取り付け部材に取付けられた状態において前記外周壁に近い位置に配置される側壁に形成されており、
前記各導光部材は、その本体部の長辺側側面が上下方向を向く姿勢で前記各操作部材に固定されることを特徴とする操作装置。
【発明の詳細な説明】
【技術分野】
【０００１】
本発明は、操作部材と操作部材に固定される被固定部品とを備える操作装置に関する。
【背景技術】
【０００２】
従来、自動車のインストゥルメントパネル等には、操作部材と操作部材に固定される被固定部品とを備える操作装置が取付けられている。
【０００３】
例えば、特許文献１には、パネルに取付けられる押釦スイッチを操作する操作部材と、この操作部材に固定される導光体とを有するスイッチ装置が開示されている。前記操作部材は、導光体を囲む筒状部を有しており、この筒状部の後端部が前記導光体を係止する係止部として機能している。前記導光体は、特定方向に延びる形状を有しており、左右方向に延びる姿勢で前記操作部材に固定されている。具体的には、この導光体の上面には上方に突出する係止突起が設けられている。そして、この導光体は、前記筒状部内に挿入された状態で前記係止突起が前記筒状部の後端部に係止されることで操作部材に固定される。
【先行技術文献】
【特許文献】
【０００４】
【特許文献１】実開平６−８０２３１号公報
【発明の概要】
【発明が解決しようとする課題】
【０００５】
自動車のインストゥルメントパネル等においては、例えば前記特許文献１に記載されるように、複数の操作部材とこれらの操作部材に固定される複数の被固定部品が共通の取付部材（パネル）に取付けられることにより、一つのまとまった操作装置を構成する場合がある。このような操作装置の生産性を高めてそのコストを削減するための手段として、前記各操作装置およびこれらに取付けられる被固定部品の形状および構造を共通化することが有効である。しかし、前記各操作装置は、これらの配置、用途、機能などの関係から全て同一の形状および構造にすることは難しい。かかる事情から形状または構造の互いに異なる複数種の操作部材を具備せざるを得ない場合、これに応じて被固定部品についても互いに形状の異なる複数種のものを用意しなければならないのが実状である。
【０００６】
本発明は、このような事情に鑑み、互いに構造の異なる複数種の操作部材を具備しながらも、高い生産性を有することが可能な操作装置を提供することを目的とする。
【課題を解決するための手段】
【０００７】
前記のような操作装置の中には、これに含まれる複数の操作部材の形状や構造が互いに異なる場合でも、これらの操作部材に固定される被固定部品には共通のものが使用可能であるものが少なからず存在する（例えば各操作ボタンにその位置を照明により表示するためのインジケータが固定される場合など）。この場合、当該被固定部品の形状を共通化することにより、当該操作装置の生産性を高めることが可能である。しかし、その一方、複数の操作部材の形状や構造が互いに異なることから、それぞれの操作部材において前記被固定部品を固定するための構造を共通化することが困難であるという事情がある。
【０００８】
本発明は、このような観点からなされたものであって、被固定部品が固定される部分の構造が互いに異なる複数種の操作部材を具備しながらも、前記被固定部品の形状の共通化を可能にすることにより、高い生産性を有することができる操作装置を提供するものである。具体的に、本発明に係る操作装置は、操作装置であって、共通の取付部材に取付けられる複数の操作部材と、互いに同一の形状を有し、前記各操作部材に共通して用いられ、固定されることが可能な複数の被固定部品とを備え、前記各操作部材には、前記被固定部品を係止するための係止孔がそれぞれ形成されており、前記操作部材には、前記係止孔の開口方向が互いに異なるように前記取付部材に取付けられる複数種のものが含まれ、前記各被固定部品は、本体部と、この本体部から外側に突出するとともにいずれの操作部材の係止孔にも係合可能な形状を有してその係合により当該被固定部品を当該操作部材に固定する複数の係止突起とを有し、これらの係止突起は、前記各被固定部品が前記各操作部材に対して特定の共通の姿勢にある状態で当該係止突起のうちのいずれかが当該操作部材の係止孔に係合可能となるように、前記本体部から前記各操作部材の係止孔の開口方向に対応する複数の方向に突出することを特徴とする操作装置を提供する。
【０００９】
この操作装置では、操作部材に係止孔の開口方向が互いに異なる種類のものを含むとともに、これら操作部材にそれぞれ共通の姿勢で被固定部品を固定しなければならない場合においても、被固定部品の形状の共通化が可能であって、これにより生産性を高めることができる。すなわち、この操作装置では、複数の係止孔の開口方向に対応して係止突起が複数の方向に突出しており、開口方向に対応した係止突起を係止孔に係合することで、被固定部品の姿勢を操作部材によらず共通に保つことができる。
【００１０】
例えば、前記各被固定部品の本体部が、１８０度反転しても同一の形状を保つ略長方形断面を画定する一対の長辺側側面および一対の短辺側側面を有し、前記係止突起が、前記本体部の２つの長辺側側面のうちの少なくとも一方および前記短辺側側面の少なくとも一方から前記被係止突起が突出するものであれば、前記係止孔の開口方向が９０度ずつ異なる最大で４種類の操作部材に対して、共通の被固定部品を使用しつつ、各被固定部品の姿勢を共通に保つことができる。
【００１１】
この場合には、特に、前記一対の長辺側側面および前記一対の短辺側側面のうちの少なくとも一方については、その対をなす側面のうちのいずれか一方にのみから前記被係止突起が突出するように構成されるのが好ましい。このように一部の係止突起を省略しても、被固定部品を１８０度回転させることで被固定部品の本体部を同一の姿勢で操作部材に固定することができる。従って、係止突起の数を少なくしながら不都合なく被固定部品を固定することができる。
【００１２】
また、本発明において、前記各操作部材は、前記長辺側側面および前記短辺側側面にそれぞれ対向する内側面を有する複数の保持壁を有し、前記複数の保持壁のうちのいずれかが前記係止孔を有する係止壁であり、前記被固定部品は、この被固定部品の本体部が前記保持壁で囲まれた領域に挿入された状態で前記係止壁の係止孔と係合することが可能な位置に前記被係止突起を有するのが好ましい。
【００１３】
このようにすれば、各被固定部品を保持壁で囲まれた領域に挿入することで、各被固定部品が特定の姿勢となる状態で前記係止孔と係止突起との係合を確実に行なうことができる。
【００１４】
また、本発明において、前記保持壁のうち前記係止壁を除く非係止壁には、前記係止孔に前記被固定部品のいずれかの被係止突起が係合された状態でそれ以外の被係止突起と当該非係止壁との接触を回避する形状の切欠が形成されているのが好ましい。
【００１５】
このようにすれば、係止孔に係合されない係止突起と非係止壁との接触を回避して被固定部品を前記保持部内に安定して保持することができる。
【００１６】
本発明は、例えば、前記複数の操作部材として、前記取り付け部材のうち押圧操作を受けることが可能な位置にそれぞれ取付けられて周方向に並ぶ複数の押しボタンを有するとともに、前記各被固定部品として、その本体部の長辺方向に並ぶ複数のスリットが形成された発光面を有して前記各操作部材のインジケータを構成する複数の導光部材とを有し、、前記各押しボタンが、前記保持部を囲む外壁をそれぞれ有するものに好適である。この場合には、前記各外壁が、前記各押しボタンが前記取り付け部材に取付けられた状態において径方向外側に位置して周方向に延びる外周壁をそれぞれ有し、前記係止孔が、前記保持部の側壁のうち前記各押しボタンが前記取り付け部材に取付けられた状態において前記外周壁に近い位置に配置される側壁に形成されていればよい。
【００１７】
この装置では、押しボタンを周方向に配列させつつ、全ての導光部材をその長辺側側面が上下方向を向き前記スリットが水平方向を向く姿勢で各操作部材に固定することができ、全ての押しボタンのインジケータにおいて光を均一に水平方向に拡散させて表示効果を高めることができる。
【発明の効果】
【００１８】
以上のように、本発明によれば、互いに構造の異なる複数種の操作部材を具備しながらも、高い生産性を有する操作装置を実現することができる。
【図面の簡単な説明】
【００１９】
【図１】本発明に係る操作装置の概略分解斜視図である。
【図２】図１に示す操作装置の背面図である。
【図３】図１に示す操作装置の一部の概略分解斜視図である。
【図４】図１に示す操作装置の一部の概略分解斜視図である。
【図５】図１に示す操作装置の導光体の概略斜視図である。
【図６】図５に示す導光体の正面図である。
【図７】図２のＡ−Ａ線断面図である。
【図８】図７の部分拡大図である。
【図９】係止突起と非係止壁との接触を回避するための他の構造を示す図である。
【発明を実施するための形態】
【００２０】
本発明の好ましい実施形態について図面を参照しながら説明する。
【００２１】
ここでは、本発明に係る操作装置１０が車両のインストゥルメントパネル１（取付部材）に取付けられる場合について説明する。
【００２２】
図１は前記操作装置１０の概略斜視図である。
【００２３】
前記操作装置１０は、８個の押しボタン（操作部材）２０（２０ａ、２０ｂ、２０ｃ、２０ｄ、２０ｅ、２０ｆ、２０ｇ、２０ｈ）と、これら押しボタン２０にそれぞれ固定される８個の導光体（被固定部品）３０とを有している。これら導光体３０は、照明用光源４０（図７参照）の光を押しボタン２０の表側に導くためのものである。これら導光体３０は、互いに同一の形状、構造を有しており、前記押しボタン２０に対して共通して使用、固定される。
【００２４】
前記各押しボタン２０は、それぞれ図示しないスイッチ素子を押圧操作するためのものである。これら押しボタン２０は周方向に並ぶ状態でインストゥルメントパネル１に取り付けられて、図２等に示すように、全体としてドーナツ状を形作る。これら押しボタン２０は、ほぼ同様の構造を有している。これら押しボタン２０は、図３および図４に示すように、前面パネル２２と、外壁２４と、導光体保持部２６と、圧部２８とをそれぞれ有している。
【００２５】
前記前面パネル２２は、使用者によって操作される部分である。この前面パネル２２には、この前面パネル２２を前後方向に貫通するインジケータ用孔２２ａが形成されている。このインジケータ用孔２２ａは、前記導光体３０の後述するプリズム部３３が挿入され部分である。このインジケータ用孔２２ａはこのプリズム部３３に対応して略長方形状を有している。
【００２６】
前記外壁２４は、前記前面パネル２２の外側端から後方に向かって突出する形状を有している。具体的には、この外壁２４は、４枚の壁すなわち押しボタン２０がインストゥルメントパネル１に取付けられた状態で径方向外側に位置して周方向に延びる外周壁２４ａと、径方向内側に位置して周方向に延びる内周壁２４ｂと、この外周壁２４ａの上端と内周壁２４ｂの上端との間で径方向に延びる上側壁２４ｃと、この外周壁２４ａの下端と内周壁２４ｂの下端との間で径方向に延びる下側壁２４ｄとを有している。
【００２７】
前記押圧部２８は、前記前面パネル２２に加えられた操作力を前記スイッチ素子に伝達してスイッチ素子を押圧操作するためのものである。この押圧部２８は、前記外壁２４の外周壁２４ａの後端面からさらに後方に突出する形状を有している。この押圧部２８は、前記前面パネル２２が押圧操作されることで後方にスライド変位し、前記スイッチ素子を押圧操作する。
【００２８】
前記導光体保持部２６は、前記導光体３０を保持するためのものである。この導光体保持部２６は、前記外壁２４で囲まれた部分に設けられている。この導光体保持部２６は、前記前面パネル２２の後側面のうち前記インジケータ用孔２２ａを囲む部分から後方に延びる略角筒状を有している。この導光体保持部２６は、その内側に前記導光体３０が挿入されることでこの導光体３０を前記前面パネル２２の後側に保持する。具体的には、この導光体保持部２６は、４枚の保持壁すなわち押しボタン２０がインストゥルメントパネル１に取り付けられて前記導光体３０が挿入された状態でこの導光体３０の上側に位置して左右方向に延びる上側保持壁２６ａと、導光体３０の下側に位置して左右方向に延びる下側保持壁２６ｂと、この上側保持壁２６ａの右端と下側保持壁２６ｂの右端との間で上下方向に延びる右側保持壁２６ｃと、この上側保持壁２６ａの左端と下側保持壁２６ｂの左端との間で上下方向に延びる左側保持壁２６ｄとを有している。
【００２９】
前記導光体保持部２６の４枚の保持壁のうち１つの保持壁には、この保持壁の表裏を貫通する係止孔２６ｆが形成されている。この係止孔２６ｆは、前記導光体３０の後述する係止突起３４と係合する部分である。前記導光体３０は、その係止突起がこの係止孔２６ｆと係合することで、この導光体保持部２６の内側に固定される。前記係止孔２６ｆが形成される保持壁および係止孔２６ｆの開口方向は、押しボタン２０の取付け位置に応じて異なってる。
【００３０】
すなわち、前記保持部２６は前記外壁２４で囲まれた部分に設けられている。そのため、この保持部２６と外壁２４とを例えば金型内での樹脂成形にて一体に形成し、かつ、この保持部２６に係止孔２６ｆを開けようとすると、金型の構造上、前記外壁２４に係止孔形成用の孔を形成する必要がある。ただし、外壁２４のうち上側壁２４ａと下側壁２４ｂとはそれぞれ他の押しボタンと隣接している。そのため、これらの壁に孔を開けると、この孔から漏れた光が他の押しボタンを不適切に照明するおそれがある。また、外壁２４のうち内周壁２４ｂは、他の押しボタンの内周壁２４ｂと対向している。そのため、この内周壁２４ｂに孔を開けた場合にも他の押しボタンを不適切に照明するおそれがある。そこで、本操作装置１では、外壁２４のうち外周壁２４ａに係止孔形成用の孔２２ｆが形成されている。そして、この係止孔形成用の穴２２ｆに対応して、前記係止孔２６ｆは前記係止孔形成用の孔２２ｆが形成された外壁２４の外周壁２４ａに近い側壁に、この外周壁２４ａに向かって開口するよう形成されている。
【００３１】
そして、前記外壁２４の外周壁２４ｂは周方向に沿って延びている。そのため、押しボタン２０が取付けられる位置によって、各押しボタン２０の外周壁２４ａの上下左右方向の向きは異なり、これに応じて、前記係止孔２６ｆが形成される保持壁および係止孔２６ｆの開口方向が異なっている。
【００３２】
具体的には、８つの押しボタン２０のうち、上側に取付けられる第１押しボタン２０ａおよび第８押しボタン２０ｈでは、各外周壁２４ａはそれぞれ前面パネル２２の上端側に位置して略水平方向に延びている。そのため、これら第１押しボタン２０ａおよび第２押しボタン２０ｂでは、前記係止孔２６ｆは、前記保持部２６の保持壁のうち上側に設けられた上側保持壁２６ａに上下方向に開口するよう形成されている。一方、上下中央付近の左側に取付けられる第２押しボタン２０ｂおよび第３押しボタン２０ｃでは、各外周壁２４ａはそれぞれ前面パネル２２の左端側に位置して略垂直方向に延びている。そのため、これら第３押しボタン２０ａおよび第４押しボタン２０ｂでは、前記係止孔２６ｆは、前記保持壁のうち左側に設けられた左側保持壁２６ｄに左右に開口するよう形成されている。同様に、第４押しボタン２０ｄおよび第５押しボタン２０ｅでは、係止孔２６ｆは、前記下側保持壁２６ｂに上下に開口するよう形成されている。また、第６押しボタン２０ｆおよび第７押しボタン２０ｇでは、係止孔２６ｆは、前記右側保持壁２６ｃに左右に開口するよう形成されている。
【００３３】
図７に示すように、前記保持部２６の保持壁のうち前記係止孔２６ｆが形成された係止壁を除く非係止壁の前後方向の長さは、前記係止壁の長さよりも短く、これら非係止壁の後端は前記係止孔２６ｆが形成される位置よりも前側に位置している。
【００３４】
前記導光体３０は、前述のように、照明用光源の光を押しボタン２０の表側に導くものである。この照明用光源は、例えば、スイッチ素子の出力に応じて点灯する。この導光体３０は、導光体本体部（本体部）３２と、係止突起３４とを有している。
【００３５】
前記導光体本体部３２は、前後方向に延びる略直方体状を有し、長方形断面を画定する一対の長辺側側面３２ａ、３２ｂと、一対の短辺側側面３２ｃ、３２ｄとを有している。この導光体本体部３２の前部には、インジケータとして機能するプリズム部３３が設けられている。このプリズム部３３は、直方体状であって、その長方形断面の長辺がこの導光体本体３２の長辺方向と同じ方向に延びる形状を有している。この導光体３０が前記保持部２６の内側に挿入された状態において、このプリズム部３３は前記インジケータ用孔２２ａ内に挿入される。そして、このプリズム部３３の前端面３３ａは、このインジケータ用孔２２を介して外部に露出して発光面として機能する。このプリズム部３３の前端面３３ａにはこの導光体本体部３２の長辺方向に並ぶ複数のスリットが形成されており、前記照明用光源の光はこの前端面３３ａにおいて長辺方向に拡散する。
【００３６】
前記係止突起３４は、前記保持部２６に形成された係止孔２６ｆと係合する部分である。この係合により、前記導光体３０は、前記プリズム部３３が前記インジケータ用孔２２ａ内に挿入された状態で前記保持部２６内に固定される。本操作装置１では、１つの導光体３０に対して３つの係止突起（第１係止突起３４ａ、第２係止突起３４ｃ、第３係止突起３４ｄ）が設けられている。これら係止突起３４ａ，３４ｃ、３４ｄは、それぞれ導光体本体部部３２の側面から外側に突出する形状を有している。具体的には、第１係止突起３４ａは、前記導光体本体部３２の長辺側側面の一方の面３２ａに設けられており、第２係止突起３４ｃおよび第３係止突起３４ｄは、前記導光体本体部３２の短辺側側面の各側面３２ｃ、３２ｄにそれぞれ設けられている。これら第１係止突起３４ａ、３４ｃ、３４ｄは前記導光体本体部３２の前端面からの距離が同じ位置に設けられている。
【００３７】
ここで、操作装置１０がインストゥルメントパネル１に取付けられる本実施形態では、インジケータが運転者等に対して高い表示効果を有するために、前記プリズム部３３において光が水平方向に拡散し、かつ、全ての押しボタン２０において前記プリズム部３３の発光量が均一であることが求められる。そのため、全ての導光体３０がその導光体本体３２の長辺が水平に延びるような姿勢すなわち導光体本体部３２の長辺側側面が上下方向を向く姿勢（以下特定の姿勢という）となるよう固定されることが求められる。なお、本実施形態では、前記プリズム部３３および導光体本体部３２は１８０度反転した状態で同じ形状を有しており、一対の長辺側側面のうちいずれの面が上方を向いていてもよい。
【００３８】
一方、本操作装置１０では、前述のように、前記保持部２４の保持壁のうち前記係止孔２６ｆが形成された保持壁の上下左右の位置および係止孔の開口方向が押しボタン２０毎に異なっている。そのため、特許文献１に開示されているような導光体の一側面にのみ係止突起が設けられている従来の構成では、係止孔と係合する係止突起を前記長辺側側面に設けた導光体と、前記短辺側側面に設けた導光体との２種類の導光体を準備して、押しボタン毎に対応する導光体を固定する必要がある。そのため、この従来の構成では、２種類の導光体を製造せねばならないとともに押しボタンの種類に応じて異なる導光体を取り付けねばならず取り付けの手間がかかる。
【００３９】
これに対して、本操作装置１０では、導光体３０に３つの係止突起３４が設けられており、同じ種類の導光体３０を用いつつ全ての導光体３０を前記特定の姿勢で前記保持部２６内に固定することができる。すなわち、導光体３０を前記特定の姿勢とした状態において、前記第１係止突起３４ａは上方に突出し、前記第２係止突起３４ｂは右側に突出し、前記第３係止突起３４ｄは上方に突出しており、係止孔２６ｆが上側保持壁２６ａ、右側保持壁２６ｂ、左側保持壁２６ｃのいずれに形成されている場合においても導光体３０を前記特定の姿勢としたまま係止突起３４と係止孔２６ｆとを係合することができる。また、導光体３０を１８０度回転させて前記第１係止突起３４ａを下方に突出させることで、第１係止突起３４ａを下側保持壁２６ｂに形成された係止孔２６ｆと係合させることができる。前述のように、導光体本体部３２は１８０度回転させても同じ形状を保つため、この場合にも前記導光体３０を前記特定の姿勢とすることができる。このようにして、本操作装置１０では、多種類の導光体３０を製造することなく、前記プリズム部３３において照明用光源４０の光を水平方向に拡散し、かつ、全ての押しボタン２０において前記プリズム部３３の発光量を均一にすることができる。そして、同種の導光体３０を利用することで、各押しボタン２０に導光体３０を容易に固定することができ、取り付けの手間を抑えることができる。
【００４０】
ここで、前述のように、前記保持部２６の保持壁のうち係止孔２６ｆが形成されていない非係止壁の後端は前記係止孔２６ｆが形成される位置よりも前側に位置している。そのため、図７に示すように、保持部２６内に導光体３０が挿入された状態において、係止孔２６ｆと係合しない係止突起３４と非係止壁との接触が回避され、この接触により導光体３０が保持部２６内でがたつくのが回避される。また、導光体３０の保持部２６への挿入を容易に行うことができる。
【００４１】
なお、前記係止突起３４は、各側面から外側に突出して前記係止孔２６ｆと係合することで前記導光体３０を固定できるものであれば、それ以外の詳細な形状は特に限定されないが、本操作装置１０では、図８に示すように、係止突起３４の後端面３４ｆが前方に向かうに従って各側面からの突出量が増加するように傾斜しており、導光体３０の保持部内でのがたつきが抑制されている。すなわち、後端面３４ｆがこのように傾斜していると、この後端面３４ｆが保持部の側壁と前後方向に当接した際に、前方向の力に加えて突出方向と反対の方向の力が加えられるため、導光体３０がこの突出方向にがたつくのが抑制される。
【００４２】
以上のように、本操作装置１０では、押しボタン２０に応じて開口方向の異なる係止孔２６ｆに対応して導光体３０に互いに異なる方向に突出する複数の係止突起３４が設けられており、前記係止孔２６ｆの開口方向に対応した係止突起３４が係止孔２６ｆと係合することで、各押しボタン２０において導光体３０を同じ姿勢に固定することができる。
【００４３】
ここで、前記係止突起３４は、導光体３０のうち長辺側側面３２ａ、３２ｂのいずれか一方と短辺側側面３２ｃ、３２ｄのいずれか一方にのみ設けられていてもよい。また、全ての側面に設けられていてもよい。ただし、導光体３０が１８０度回転しても同じ形状を保つ場合には、係止突起３４を長辺側側面３２ａ、３２ｂのいずれか一方と短辺側側面３２ｃ、３２ｄのいずれか一方にのみに設けることで係止突起３４の数を減らすのがよい。
【００４４】
前記保持部２６は省略可能である。ただし、この保持部２６を設けるとともにこの保持壁に係止孔２６ｆを形成すれば、導光体３０をこの保持部２６内に挿入することで導光体３０を特定の姿勢としつつ係止突起３４と係止孔２６ｆとを確実に係合させることができる。
【００４５】
また、保持部２６において、係止孔２６ｆと係合しない係止突起３４と非係止壁との接触を回避するための具体的構成は前記に限らない。例えば、図９に示すように、非係止壁を斜視壁と同じ長さとしつつこの非係止壁の後部のうち係止突起３４と対向する部分を含む部分を前方に向かって切欠くことで、前記接触を回避するようにしてもよい。
【００４６】
前記導光体本体部３２の具体的形状は前記に限らない。例えば、断面が他の多角形を有していてもよい。また、１８０度回転することで同じ姿勢となるものでなくてもよい。
【００４７】
また、本発明における操作部材は前記押しボタン２０に限らない。また、本発明における被固定部品は前記導光体３０に限らない。
【符号の説明】
【００４８】
１    インストゥルメントパネル（取付部材）
１０    操作装置
２０    押しボタン（操作部材）
２６    保持部
２６ｆ    係止孔
３０    導光体（被固定部品）
３２    導光体本体部
３４    係止突起
【図１】
2010225324.tif 000003
【図２】
2010225324.tif 000004
【図３】
2010225324.tif 000005
【図４】
2010225324.tif 000006
【図５】
2010225324.tif 000007
【図６】
2010225324.tif 000008
【図７】
2010225324.tif 000009
【図８】
2010225324.tif 000010
【図９】
2010225324.tif 000011